(57)【要約】【課題】携帯端末に内蔵されたカメラが容易に撮影を行なうことが可能となる携帯端末の撮影補助用具、この携帯端末の撮影補助用具を利用したシステムおよび方法を提供する。【解決手段】本発明に係る携帯端末の撮影補助用具は、携帯端末に内蔵されたカメラが被写体にピントを合わせるための撮影補助用具であって、前記撮影補助用具は、前記携帯端末のカメラレンズを有する面と平行である背面パネルと、前記背面パネルに接着された撮影補助部とを備え、前記撮影補助部は、前記カメラによって撮影される被写体との接触面と、前記背面パネルとの接触面とを備え、前記被写体との接触面と前記背面パネルとの接触面とは、平行であり、前記被写体との接触面と前記背面パネルとの接触面との距離は、前記カメラが前記被写体にピントを合わせることができる距離であり、前記被写体との接触面の範囲は、前記カメラが撮影可能な範囲に含まれ、前記背面パネルとの接触面の範囲は、前記カメラレンズの範囲を含む。【選択図】図１
2015152624.tif 000002
【特許請求の範囲】
【請求項１】
携帯端末に内蔵されたカメラが被写体にピントを合わせるための撮影補助用具であって、
前記撮影補助用具は、
前記携帯端末のカメラレンズを有する面と平行である背面パネルと、
前記背面パネルに接着された撮影補助部とを備え、
前記撮影補助部は、
前記カメラによって撮影される被写体との接触面と、
前記背面パネルとの接触面とを備え、
前記被写体との接触面と前記背面パネルとの接触面とは、平行であり、
前記被写体との接触面と前記背面パネルとの接触面との距離は、前記カメラが前記被写体にピントを合わせることができる距離であり、
前記被写体との接触面の範囲は、前記カメラが撮影可能な範囲に含まれ、
前記背面パネルとの接触面の範囲は、前記カメラレンズの範囲を含む
ことを特徴とする撮影補助用具。
【請求項２】
前記背面パネルおよび前記撮影補助部の前記背面パネルとの接触面は、前記カメラレンズの大きさ以上の孔を有し、前記背面パネルの孔および前記撮影補助部の前記背面パネルとの接触面の孔とが重なることを特徴とする請求項１に記載の撮影補助用具。
【請求項３】
前記撮影補助部および前記背面パネルは、透明素材であることを特徴とする請求項１または２に記載の撮影補助用具。
【請求項４】
前記携帯端末のカメラレンズを有する面の反対面を覆う前面パネルをさらに備えたことを特徴とする請求項１から３のいずれかに記載の撮影補助用具。
【請求項５】
請求項１から３に記載の背面パネルおよび請求項４に記載の前面パネルによって挟持された携帯端末であって、前記携帯端末に内蔵されたカメラが撮影したデータを送信する手段を備えた携帯端末。
【請求項６】
請求項５に記載の携帯端末とサーバとを備えたシステムであって、
前記サーバは、
前記携帯端末に内蔵されたカメラが撮影した画像データを受信する手段と、
前記受信した画像データを、データベースに格納された画像データと認証する手段とを備えた
ことを特徴とするシステム。
【請求項７】
前記サーバは、前記携帯端末に、前記データベースに格納された画像データに対応する情報を送信することを特徴とする請求項６に記載のシステム。
【請求項８】
前記携帯端末は、
前記サーバから、前記データベースに格納された画像データを受信する手段と、
前記携帯端末に内蔵されたカメラが撮影した画像データを、前記サーバから受信した画像データと認証することを特徴とする請求項６または７に記載のシステム。
【発明の詳細な説明】
【技術分野】
【０００１】
本発明は、携帯端末の撮影補助用具に関する。より詳細には、携帯端末に内蔵されたカメラが容易に被写体にピントを合わせることが可能となる携帯端末の撮影補助用具、この携帯端末の撮影補助用具を利用したシステムおよび方法に関する。
【背景技術】
【０００２】
従来、高速バスの乗務員は、停留所で停車するたびに、乗車する乗客の乗車券を確認する必要があった。具体的には、乗客は、乗車前に、インターネットで予約した上でコンビニエンスストアにて乗車券を受け取ること等によって（例えば、特許文献１参照）、バスの乗車券を購入する。その後、乗客は、購入した紙媒体の乗車券を持ってバスに乗車する。乗務員は、この乗車券を見て、乗客が乗車の予約をしているか否かを確認する。また、乗務員は、乗客が利用可能な座席、乗車停留所および降車停留所を確認する。すなわち、乗務員は、乗車券に記載された内容を目視で確認している。
【０００３】
高速バスでは、少人数の乗務員で業務を行なっているため、上記のように乗務員が乗車券を目視で確認することは、乗務員の負担になるという問題があった。したがって、乗務員が乗車券に記載された内容を目視で確認することなく、乗客が乗車の予約をしているか否かを確認する手段、また予約の内容を把握する手段が望まれている。
【０００４】
ところで、近年、航空券やコンサートのチケットの代わりや一部として、ＱＲコード（登録商標）が利用されている。空港やコンサート会場では、顧客が、ＱＲコードが印刷された紙やＱＲコードが表示された携帯電話やスマートフォンなどをＱＲコード読み取り機器にかざすことによって、航空券やコンサートのチケットの認証が行なわれる。今後、高速バスの乗車券にも、ＱＲコードが広く採用されることが考えられる。
【先行技術文献】
【特許文献】
【０００５】
【特許文献１】特開２０００−０６７２７６号公報
【発明の概要】
【発明が解決しようとする課題】
【０００６】
しかしながら、ＱＲコードの読み取りの際、正常にＱＲコードが認識されずにエラーが生じることがある。特に、タブレット端末などに内蔵されたカメラがＱＲコードを撮影する場合、カメラがＱＲコードにピントを合わせることが難しいためエラーが生じやすい。高速バスの乗車券にＱＲコードが採用された場合、バスの走行の途中に各停留所でＱＲコードの認証が行なわれるため、カメラは正常に短時間でＱＲコードを撮影する必要がある。すなわち、乗務員や乗客が、ピントを合わせるために、タブレット端末やＱＲコードの位置を調整する必要がないことが望ましい。
【０００７】
本発明は、このような問題に鑑みてなされたものであり、その目的とするところは、乗客がバスの乗車を予約すると、バス運行会社はＱＲコードを発行して、バスの車内でタブレット端末に内蔵されたカメラがＱＲコードを容易に撮影をするための撮影補助用具を提供すること、およびこの撮影補助用具を利用した認証システムおよび方法を提供することにある。
【課題を解決するための手段】
【０００８】
本発明は、このような目的を達成するために、請求項１に記載の発明は、携帯端末に内蔵されたカメラが被写体にピントを合わせるための撮影補助用具であって、前記撮影補助用具は、前記携帯端末のカメラレンズを有する面と平行である背面パネルと、前記背面パネルに接着された撮影補助部とを備え、前記撮影補助部は、前記カメラによって撮影される被写体との接触面と、前記背面パネルとの接触面とを備え、前記被写体との接触面と前記背面パネルとの接触面とは、平行であり、前記被写体との接触面と前記背面パネルとの接触面との距離は、前記カメラが前記被写体にピントを合わせることができる距離であり、前記被写体との接触面の範囲は、前記カメラが撮影可能な範囲に含まれ、前記背面パネルとの接触面の範囲は、前記カメラレンズの範囲を含むことを特徴とする。
【発明の効果】
【０００９】
以上説明したように、本発明によれば、携帯端末の撮影補助用具を利用することによって、タブレット端末に搭載されたカメラが、ＱＲコードを容易に撮影することが可能となる。すなわち、乗務員や乗客は、タブレット端末に内蔵されたカメラがＱＲコードを撮影する際に、ピントが合うように、ＱＲコードが印刷された紙やＱＲコードが表示された携帯電話やスマートフォンなどの位置を調整する必要がなくなる。また、本発明によれば、バスの車内に設置されたタブレット端末が、撮影したＱＲコードをサーバに送信すること、および最新の予約情報をサーバから受信することができる。そのため、バスの車内のタブレット端末が、走行中のバスの最新の予約状況を把握することが可能となる。
【図面の簡単な説明】
【００１０】
【図１】携帯端末の撮影補助用具の前面および背面を示す構成図である。
【図２】携帯端末の撮影補助用具の分解図である。
【図３】認証システムの全体図である。
【図４】バス乗車券管理データベースの一例である。
【図５】認証方法のフロー図である。
【図６】乗客一覧を表示するイメージ画面である。
【図７】運行状況を表示するイメージ画面である。
【図８】座席表を表示するイメージ画面である。
【発明を実施するための形態】
【００１１】
以下、図面を参照しながら本発明の実施形態について詳細に説明する。なお、本明細書ではＱＲコードについて説明しているが、本発明は、ＱＲコードに限らず、バーコードなどを用いて実施することが可能である。また、本発明に係る携帯端末の撮影補助用具は、高速バスの乗車券におけるＱＲコード認証に限らず、コンサートやイベントなどのチケットにおけるＱＲコード認証に用いることも可能である。
【００１２】
図１は、携帯端末の撮影補助用具を前面側から見た図（ａ）と背面側から見た図（ｂ）である。撮影補助用具１００は、ＱＲコード読取補助部１１１、前面パネル１１２、背面パネル１１３、ねじ部１１４から構成される。
【００１３】
撮影補助用具１００の前面パネル１１２と背面パネル１１３との間にタブレット端末１２０が挟まれ、前面パネル１１２および背面パネル１１３の複数の箇所がボトルとナットなどのねじ部１１４で固定される。前面パネル１１２および背面パネル１１３の材料は、透明ポリカーボネートなどが想定されるが、これに限定されない。このような撮影補助用具１００が、バスの車内に設置される。すなわち、撮影補助用具１００を利用することによって、バスの運賃箱などの上にタブレット端末１２０を固定することが可能になる。さらに、撮影補助用具１００を利用することによって、タブレット端末１２０を外部の衝撃などから保護することも可能になる。保護を強化するために、前面パネル１１２および背面パネル１１３のタブレット端末１２０との接触面に緩衝材を用いることもできる。
【００１４】
背面パネル１１３には、ＱＲコード読取補助部１１１が接着されている。ＱＲコード読取補助部１１１は、タブレット端末１２０がＱＲコードを撮影しやすいように補助するための部分である。具体的には、ＱＲコード読取補助部１１１は、ＱＲコードが印刷された紙やＱＲコードが表示された携帯電話やスマートフォンなどを接触させるための平らな面を有する（以下、この平らな面をＱＲコード接触面という）。ＱＲコード接触面は、ＱＲコード読取補助部１１１と背面パネル１１３とが接する面と平行である。ＱＲコード読取補助部１１１の形状は、図１のような直方体や立方体の形状が想定されるが、これらに限定されない。また、ＱＲコード読取補助部１１１の材料は、透明ポリカーボネートが想定されるが、これに限定されない。図１の背面側から見た図のとおり、タブレット端末１２０のカメラレンズ１２１の部分は、ＱＲコード読取補助部１１１と背面パネル１１３とが接する面の領域内に含まれる。詳細については、図２を参照しながら説明する。このように、撮影補助用具１００を利用することによって、タブレット端末１２０に内蔵されたカメラがＱＲコードを容易に撮影することが可能になる。
【００１５】
タブレット端末１２０は、カメラ機能を搭載しており、紙に印刷されたＱＲコードまたは乗客の携帯電話やスマートフォンなどに表示されたＱＲコードなどを撮影することができる。また、タブレット端末１２０は、ＱＲコードの読み取り機能を搭載している。また、タブレット端末１２０は、通信機能を搭載しており、バス運行会社のサーバと通信を行なうことができる。なお、タブレット端末１２０には、タブレット端末のほか、スマートフォン等のカメラ機能、ＱＲコードの読み取り機能、および通信機能を搭載した電子機器が含まれる。
【００１６】
図２は、撮影補助用具１００の分解図である。前面パネル１１２は、タブレット端末１２０の画面以外の部分を覆うことができる。タブレット端末１２０は、背面に（画面の反対面に）カメラレンズ１２１を有する。背面パネル１１３には、このカメラレンズ１２１の大きさ以上の大きさの孔がある（反対面まで突き抜けてあいている）。また、ＱＲコード読取補助部１１１の背面パネル１１３と接する面にも、カメラレンズ１２１の大きさ以上の大きさの孔がある（反対面まで突き抜けてあいている）。背面パネル１１３の孔とＱＲコード読取補助部１１１の孔とが重なるように、ＱＲコード読取補助部１１１が背面パネル１１３に接着される。さらに、この２つの孔の領域内にカメラレンズ１２１が収まるように、タブレット端末１２０が前面パネル１１２と背面パネル１１３との間に挟まれる。すなわち、タブレット端末１２０に内蔵されたカメラは、背面パネル１１３の孔、ＱＲコード読取補助部１１１の孔、ＱＲコード接触面を通して、ＱＲコードを撮影する。
【００１７】
上記で説明したとおり、携帯端末の撮影補助用具１００を利用することによって、タブレット端末１２０に内蔵されたカメラがＱＲコードを容易に撮影することが可能になる。具体的には、タブレット端末１２０の「カメラレンズ１２１」から「被写体であるＱＲコードが印刷された紙やＱＲコードが表示された携帯電話やスマートフォンなどの画面」までの距離（すなわち、「ＱＲコード読取補助部１１１の背面パネル１１３と接する面」から「ＱＲコード接触面」までの寸法）が、タブレット端末１２０に内蔵されたカメラがＱＲコードを撮影する際にＱＲコードにピントが合わせられる距離となるように、ＱＲコード読取補助部１１１の寸法が決定される。さらに、ＱＲコード接触面の範囲が、タブレット端末１２０に内蔵されたカメラが撮影することができる範囲内となるように、ＱＲコード読取補助部１１１の寸法および形状が決定される。したがって、乗務員や乗客は、タブレット端末１２０に内蔵されたカメラがＱＲコードを撮影する際に、ピントが合うように、ＱＲコードが印刷された紙やＱＲコードが表示された携帯電話やスマートフォンの位置を動かして調整する必要がなくなる。
【００１８】
このように、利用するタブレット端末１２０に応じて、撮影補助用具１００を設計することができる。詳しく説明すると、タブレット端末１２０の筐体の大きさや画面の大きさに合わせて、前面パネル１１２および背面パネル１１３の大きさが拡大または縮小される。また、タブレット端末１２０に付いているボタンなどの操作部分がパネルに覆われないように、前面パネル１１２および背面パネル１１３の一部が切り取られる。また、タブレット端末１２０の厚みに応じて、ねじ部１１４が調節される。また、上記のとおり、タブレット端末１２０に内蔵されたカメラの性能に合わせて、ＱＲコード読取補助部１１１の寸法や形状が設計される。さらに、タブレット端末１２０のカメラレンズ１２１の位置に応じて、背面パネル１１３におけるＱＲコード読取補助部１１１の位置を自由に変更できるように、撮影補助用具１００を設計することもできる。すなわち、乗務員などの利用者が、ＱＲコード読取補助部１１１を背面パネル１１２上で動かして調節できるように、可動式のＱＲコード読取補助部１１１とすることができる。
【００１９】
図３は、撮影補助用具１００を利用した認証システム３００の全体図である。本システム３００には、バス運行会社のサーバ３０１、撮影補助用具１００とともにバス３０２内に設置されているタブレット端末１２０が含まれる。
【００２０】
サーバ３０１には、乗車券に関するデータベース３１１が格納されている。また、サーバ３０１は、タブレット端末１２０とデータの送受信をすることができる。なお、タブレット端末１２０には、複数のタブレット端末が含まれる。
【００２１】
バス３０２の車内では、運賃箱の上などに、図１のようにタブレット端末１２０と一体となった撮影補助用具１００が設置される。撮影補助用具１００のＱＲコード読取補助部１１１のＱＲコード接触面が乗客側、タブレット端末１２０の表示画面が乗務員側に向くように設置される。
【００２２】
ここで、乗客がバス運行会社に乗車の予約をした場合の乗車券の発行について説明する。乗客がインターネットや電話、窓口などで乗車の予約を行なうと、バス運行会社は、ＱＲコード付きの乗車券を発行すること、または、乗車券の代わりとしてＱＲコードのみを発行することができる。乗客は、ＱＲコード付きの乗車券が印刷された紙、または、乗車券代わりのＱＲコードが印刷された紙を持って、バスに乗車することができる。あるいは、乗客は、ＱＲコード付きの乗車券が表示された、または、乗車券代わりのＱＲコードが表示された携帯電話やスマートフォンなどを持って、バスに乗車することができる。
【００２３】
図４は、サーバ３０１に格納される、乗車券に関するデータベース３１１の一例である。乗車券管理データベース３１１には、予約された乗車券ごとに、「乗車券ＩＤ」、「座席」、「氏名」、「乗車停留所」、「降車停留所」、「乗車状況」、「降車状況」、「属性」、「運行される日付」、「路線」、「系統」、「便名」、「号車番号」、「ＱＲコード」、「予約日時」、「変更日時」などに関する情報を示すデータが格納される。それぞれについて説明する。「乗車券ＩＤ」は、乗車券ごとに付与される識別子である。「座席」は、この乗車券を所持する乗客が座ることができる座席を表わし、座席の位置や座席の種類（例えば、普通席、特別席、女性席など）を示すデータが含まれる。「氏名」は、この乗車券を所持する乗客の氏名である。「乗車停留所」および「降車停留所」は、この乗車券を所持する乗客が乗車することができる停留所および降車しなければならない停留所を示す。「属性」は、乗客の属性（例えば、大人、小人、学生など）を示す。「運行される日付」、「路線」、「系統」、「便名」、「号車番号」は、この乗車券を所持する乗客が乗車することができるバスの、運行される日付、路線、系統、便名、号車番号を示す。「ＱＲコード」は、この乗車券に関する情報を持つＱＲコードのデータを示す。すなわち、ＱＲコードは、乗車券管理データベース３１１内のデータの少なくとも一部を格納することができるコードである。「予約日時」は、この乗車券の予約が行なわれた日時である。「変更日時」は、この乗車券の予約内容に変更が加えられた日時である。
【００２４】
バスの乗車券の予約が行なわれると、「乗車券ＩＤ」が付与され、「乗車券ＩＤ」、「座席」、「氏名」、「乗車停留所」、「降車停留所」、「属性」、「運行される日付」、「路線」、「系統」、「便名」、「号車番号」、「予約日時」を示すデータが、乗車券管理データベース３１１に格納される。また、バスの乗車券の予約が行なわれると、この乗車券に関する情報を持つＱＲコードが作成され、このＱＲコードのデータが、乗車券管理データベース３１１に格納される。
【００２５】
後で説明するように、乗客が乗車および降車すると、「乗車状況」および「降車状況」を示すデータが、乗車券管理データベース３１１に格納される。また、バスの乗車券の予約内容に変更が加えられると、「変更日時」を示すデータが、乗車券管理データベース３１１に格納される。
【００２６】
図５は、撮影補助用具１００を利用した認証方法のフロー図である。乗客は、ＱＲコードが印刷された紙媒体の乗車券を所持している。または、乗客は、ＱＲコードが表示された携帯電話やスマートフォンなどを所持している。また、サーバ３０１は、ＧＰＳなどを利用して、バスの現在の位置情報を随時取得している。バスは、営業所を出発して、始発停留所、停留所Ａ、停留所Ｂ、・・・、終点停留所の順番で走行する。
【００２７】
ステップ５０１において、基本データが、サーバ３０１からタブレット端末１２０にダウンロードされる。すなわち、サーバ３０１は、タブレット端末１２０に、基本データを送信する。具体的には、例えば、バスの乗務員は、バスを出発させる前に、営業所でタブレット端末１２０と一体となった撮影補助用具１００を受け取って、車内に設置する。また、乗務員は、タブレット端末１２０を起動させて、サーバ３０１からタブレット端末１２０に基本データをダウンロードする。基本データには、各停留所の到着時刻を示すデータや座席表を示すデータなどが含まれる。
【００２８】
ステップ５０２において、認証システムにログインする。すなわち、タブレット端末１２０は、サーバ３０１に、ログイン認証に必要なデータを送信する。次に、サーバ３０１は、タブレット端末１２０から受信したログイン認証に必要なデータに基づいてログイン認証を行なう。具体的には、例えば、バスの乗務員は、始発停留所に到着後、タブレット端末１２０を用いて、本システムにログインする。タブレット端末１２０は、ログイン時またはログイン後に、「運行される日付」、「路線」、「系統」、「便名」、「号車番号」などの運行するバスを特定する情報をサーバ３０１に送信する。ログインが成功すると、ステップ５０３に進む。ログインが失敗すると、サーバ３０１はタブレット端末１２０にエラーを通知する。
【００２９】
ステップ５０３において、予約された乗車券に関する情報（以下、予約情報という）が、サーバ３０１からタブレット端末１２０にダウンロードされる。すなわち、まず、サーバ３０１は、乗車券管理データベース３１１を参照して、ログイン時またはログイン後にタブレット端末１２０から受信した「運行される日付」、「路線」、「系統」、「便名」、「号車番号」を示すデータのそれぞれと同一のデータを格納している、「乗車券ＩＤ」を特定する。すなわち、これらの特定された乗車券ＩＤは、このバスに乗車する予定の乗客が所持する乗車券の乗車券ＩＤである。次に、サーバ３０１は、乗車券管理データベース３１１内で、これらの特定された乗車券ＩＤに対応する、「座席」、「氏名」、「乗車停留所」、「降車停留所」、「属性」、「ＱＲコード」を参照する。次に、サーバ３０１は、これらの参照した「乗車券ＩＤ」、「座席」、「氏名」、「乗車停留所」、「降車停留所」、「属性」、「ＱＲコード」などを示すデータを、タブレット端末１２０に送信する。
【００３０】
ログイン後に、初めて予約情報がダウンロードされる場合には、そのバスに乗車する全ての乗客の予約情報がダウンロードされる。その後、新たに乗車券が予約された場合には、新たに予約された乗車券の予約情報がダウンロードされる。あるいは、その後、既に予約されている乗車券の内容に変更が加えられた場合には、予約情報の変更内容を示す情報がダウンロードされる。すなわち、始発停留所でログインしたときは、サーバ３０１は、タブレット端末１２０に、全ての乗客の予約情報のデータを送信する。その後は、この運行中のバスに関する乗車券の予約が追加または変更される度に、サーバ３０１は、タブレット端末１２０に、追加分または変更分のデータを送信することができる。
【００３１】
このように、乗車券の予約に追加および変更がある度に、バス車内のタブレット端末１２０では、最新の予約情報を取得することができる。そのため、２番目の停留所である停留所Ａ、３番目の停留所である停留所Ｂ、・・・、終点停留所に到着する前に、次の停留所で乗車および降車する乗客に関する最新の情報を把握することができる。
【００３２】
すなわち、ログイン後に、タブレット端末１２０は、サーバ３０１内の乗車券管理データベース３１１に格納されたデータを受信して、このデータをタブレット端末１２０内に格納することができる。さらに、その後、タブレット端末１２０は、サーバ３０１内の乗車券管理データベース３１１の追加データおよび変更データを受信して、タブレット端末１２０内に格納されたデータを随時更新することができる。そのため、バスが通信状態の悪いエリア（タブレット端末１２０がサーバ３０１とデータの送受信をできないエリア）を走行中に、タブレット端末１２０は、サーバ３０１内の乗車券管理データベース３１１のデータではなく、タブレット端末１２０内に格納されたデータを参照することができる。したがって、タブレット端末１２０は、サーバ３０１と通信ができない場合であっても、ＱＲコードの認証、乗客一覧の表示、運行状況の表示、座席表の表示などの各種処理を行なうことができる。
【００３３】
ステップ５０４において、ＱＲコードの認証が行なわれる。具体的には、停留所において、乗車してきた乗客は、紙媒体の乗車券に印刷されたＱＲコードまたは乗客の携帯電話やスマートフォンなどに表示されたＱＲコードを、撮影補助用具１００のＱＲコード読取補助部１１１のＱＲコード接触面に接触させる。タブレット端末１２０に内蔵されたカメラは、カメラレンズ１２１を通して、このＱＲコードを撮影する。次に、タブレット端末１２０は、サーバ３０１に、撮影したＱＲコードのデータを送信する。次に、サーバ３０１は、タブレット端末１２０から受信したＱＲコードのデータを認証する。すなわち、サーバ３０１は、受信したＱＲコードのデータと、サーバ３０１内の乗車券管理データベース３１１に格納されているＱＲコードのデータとが一致するか否かを判断する。
【００３４】
上記の判断において、ＱＲコードが一致する場合（ＱＲコードの認証が成功した場合）、サーバ３０１は、乗車券管理データベース３１１を参照して、このＱＲコードに対応する「座席」および「氏名」を特定する。次に、サーバ３０１は、タブレット端末１２０に、この特定した「座席」および「氏名」を示すデータを送信する。次に、タブレット端末１２０は、この受信した「座席」および「氏名」を示すデータに基づいて、タブレット端末１２０の画面に、乗客の座席を示す情報や氏名などを表示する。乗務員は、この表示を見て、乗客に座席を伝えることができる。また、サーバ３０１は、乗車券管理データベース３１１を参照して、このＱＲコードに対応する「乗車状況」のデータを「乗車済み」のデータに更新する。
【００３５】
上記の判断において、ＱＲコードが一致しない場合（ＱＲコードの認証が失敗した場合）、サーバ３０１は、タブレット端末１２０に、エラーを通知する。
【００３６】
このＱＲコードの認証は、サーバ３０１だけでなく、タブレット端末１２０で行なうこともできる。すなわち、タブレット端末１２０は、タブレット端末１２０に内蔵されたカメラが撮影したＱＲコードのデータと、ステップ５０３においてサーバ３０１からダウンロードしたＱＲコードのデータとが一致するか否かを判断する。ＱＲコードが一致する場合（ＱＲコードの認証が成功した場合）、タブレット端末１２０は、ステップ５０３においてサーバ３０１からダウンロードしたデータを参照して、このＱＲコードに対応する「座席」および「氏名」を特定する。次に、タブレット端末１２０は、この特定した「座席」および「氏名」を示すデータに基づいて、乗客の座席を示す情報や氏名などをタブレット端末１２０の画面に表示する。このようにタブレット端末１２０でＱＲコードの認証を行なった場合は、タブレット端末１２０は、サーバ３０１に、ＱＲコードの認証が成功した旨を示すデータと撮影したＱＲコードのデータを送信する。サーバ３０１は、乗車券管理データベース３１１を参照して、受信したＱＲコードに対応する「乗車状況」のデータを「乗車済み」のデータに更新する。また、サーバ３０１は、受信したＱＲコードのデータを乗車券管理データベース３１１に格納する。ＱＲコードが一致しない場合（ＱＲコードの認証が失敗した場合）、タブレット端末１２０は、エラーをタブレット端末１２０の画面に表示する。
【００３７】
ＱＲコードの認証中、タブレット端末１２０の画面には、撮影中の画像が表示されない。すなわち、タブレット端末１２０に内蔵されたカメラが撮影しているＱＲコードを含む画像は、タブレット端末１２０の画面上で非表示となるように設定される。そのため、乗務員は、ＱＲコードの認証中も本システムによって表示される画面（乗客一覧や座席表など）を見ることができる。すなわち、乗客が撮影補助用具１００のＱＲコード接触面にＱＲコードが印刷された紙やＱＲコードが表示された携帯電話やスマートフォンなどの画面を接触させるだけで、タブレット端末１２０に内蔵されたカメラは、被写体であるＱＲコードにピントを合わせることができる。したがって、乗務員は、タブレット端末１２０に内蔵されたカメラがＱＲコードを撮影する際、ピントが合っているか否かを確認するために、タブレット端末１２０の画面を見る必要がなくなる。このため、乗務員が撮影中の画像を確認しなくても（すなわち、乗客一覧や座席表などを見ながら）、タブレット端末１２０に内蔵されたカメラがＱＲコードを正常に撮影することが可能になる。
【００３８】
このようなステップ５０４は、始発停留所、停留所Ａ、停留所Ｂ、・・・等の停留所（終点停留所を除く）において、各停留所から乗車する乗客が存在する場合に行なわれる。このように、サーバ３０１側で、どの停留所でどの乗客が乗車したかを把握することができる。
【００３９】
ステップ５０５において、降車の処理が行なわれる。具体的には、停留所において、乗客が降車すると、乗務員は、図６のような座席一覧をタブレット端末１２０の画面に表示させて、該当する乗客（降車した乗客）を選択する。すなわち、まず、タブレット端末１２０は、乗客一覧を画面に表示する。次に、タブレット端末１２０は、サーバ３０１に、選択された乗客を示すデータ（氏名など）を送信する。次に、サーバ３０１は、乗車券管理データベース３１１を参照して、受信したデータが示す乗客を特定する。次に、サーバ３０１は、乗車券管理データベース３１１内の特定された乗客の「降車状況」のデータを「降車済み」のデータに更新する。
【００４０】
あるいは、各停留所を通過すると、乗客が乗車券どおりに降車したものとして、サーバ３０１内の乗車券管理データベース３１１の「降車状況」のデータを更新することもできる。すなわち、上記の説明のとおり、サーバ３０１は、ＧＰＳなどを利用して、バスの現在の位置情報を随時取得している。サーバ３０１は、この位置情報に基づいて、バスが各停留所を発車すると、降車停留所がその停留所である乗車券を所持する乗客が降車したものとして、乗車券管理データベース３１１内の「降車状況」のデータを「降車済み」のデータに更新することができる。
【００４１】
このようなステップ５０５は、停留所Ａ、停留所Ｂ、・・・終点停留所等の停留所（始発停留所を除く）において、各停留所にて降車する乗客が存在する場合に行なわれる。このように、サーバ３０１側で、どの停留所でどの乗客が降車したかを把握することができる。
【００４２】
ステップ５０６において、終了操作が行なわれる。具体的には、例えば、終点停留所にて全ての乗客が降車後、乗務員は、タブレット端末１２０を用いて終了操作を行なう。終了操作によって、運行記録情報が、タブレット端末１２０からサーバ３０１に送信されて、その後、ログアウトする。すなわち、タブレット端末１２０は、サーバ３０１に、運行記録情報を送信する。運行記録情報には、タブレット端末１２０にて行なわれた操作の履歴（ＱＲコードの認証、予約の変更など）やサーバとの通信履歴が含まれる。
【００４３】
図６は、タブレット端末１２０に表示される乗客一覧のイメージ画面である。乗車券ごとに、乗車券ＩＤ、座席を示す情報、乗車停留所、降車停留所、乗客の氏名、属性（大人・小人・学生など）に関する情報を表示することができる。特定の停留所を選択して、この停留所で乗車予定の乗客や降車予定の乗客にマークを付けたり、予約が重複している乗車券にマークを付けることもできる。この乗客一覧は、全ての乗客の一覧を表示させることもできるし、特定の停留所で乗車または降車する乗客のみの一覧を表示させることもできる。また、乗客一覧では、空席情報を表示することもでき、座席の種類（普通席、特別席、女性席など）ごとの空席の数を表示することができる。
【００４４】
乗務員は、タブレット端末１２０を操作して、乗車券の予約内容を変更することもできる。この場合、タブレット端末１２０は、サーバ３０１に、タブレット端末１２０において変更された内容を示すデータを送信する。サーバ３０１は、この受信したデータに基づいて、乗車券管理データベース３１１を更新する。
【００４５】
バスが停留所に接近すると、自動的に図６のような乗客一覧の画面に切り替わる。すなわち、バスの現在の位置情報に基づいて、バスと停留所の距離が閾値を下回ると、タブレット端末１２０の画面に図６のような乗客一覧を表示させることができる。
【００４６】
図７は、タブレット端末１２０に表示される運行状況のイメージ画面である。運行状況の画面には、次に停車する予定の停留所および到着する予定の時刻が表示される。また、次の停留所にて乗車する予定である乗客の人数および降車する予定である乗客の人数が表示される。さらに、現在の車内の人数（現在の乗車人数と全座席数）などが表示される。
【００４７】
バスが停留所を出発すると、自動的に図７のような運行状況の画面に切り替わる。すなわち、バスの現在の位置情報に基づいて、バスと停留所の距離が閾値を上回ると、タブレット端末１２０の画面に図７のような運行状況を表示させることができる。
【００４８】
図８は、タブレット端末１２０に表示される座席表のイメージ画面である。座席ごとに、「乗車済み」、「予約済み（未乗車）」、「空席」であることを示す。すなわち、座席ごとに、既に乗車券が予約されているか否かを示す。また、座席ごとに、その座席に乗客が乗車しているか否かを示す。
【符号の説明】
【００４９】
１００  撮影補助用具
１１１  ＱＲコード読取補助部
１１２  前面パネル
１１３  背面パネル
１１４  ねじ部
１２０  タブレット端末
１２１  カメラレンズ
３０１  サーバ
３１１  乗車券管理データベース
３０２  バス
【図１】
2015152624.tif 000003
【図２】
2015152624.tif 000004
【図３】
2015152624.tif 000005
【図４】
2015152624.tif 000006
【図５】
2015152624.tif 000007
【図６】
2015152624.tif 000008
【図７】
2015152624.tif 000009
【図８】
2015152624.tif 000010